(57)【要約】【課題】透明封筒等に使用した場合であっても、高いセキュリティ性が確保でき、開封率を向上させるセキュリティフォームを提供する。【解決手段】セキュリティフォーム１０は、いわゆる透明封筒であり、封筒部１１と、収納物としての中身１２、１３等とを備え、封筒部１１は、光透過性を有する２つの光透過基材１１ａ、１１ｂが、一体となって並設され、光透過基材１１ａには、所定の情報ａが設けられ、光透過基材１１ｂには、所定の情報ｂが設けられ、中身１２は、光透過性を有する光透過基材であり、所定の情報ｃが設けられ、中身１３は、遮光性を有する遮光基材であり、所定の情報ａ、ｂ、ｃは、完全な情報の構成要素となる個々のキャラクタを分解したキャラクタ分解情報でもあり、重ね合わせ、透かして判読すると、各キャラクタ分解情報が組み合わさって完全なキャラクタとなるとともに、各所定の情報ａ、ｂ、ｃが組み合わさり完全な情報となる。【選択図】図１
2005313943.tif 000002
【特許請求の範囲】
【請求項１】
所定の情報が設けられ、少なくとも一部に光透過性を有し、重ね合わせられた複数の光透過基材と、
前記複数の光透過基材の間に配置される挿入基材とを備え、
前記所定の情報は、前記挿入基材を取り除き、透かして判読すると、各所定の情報が組み合わさり完全な情報となること、
を特徴とするセキュリティフォーム。
【請求項２】
第１の所定の情報が設けられた基材と、
第２の所定の情報が設けられ、少なくとも一部に光透過性を有し、前記基材の第１の所定の情報側に重ね合わせられた少なくとも１つの光透過基材と、
前記基材と前記光透過基材との間に配置される挿入基材とを備え、
前記第１及び第２の所定の情報は、前記挿入基材を取り除き、透かして判読すると、各所定の情報が組み合わさり完全な情報となること、
を特徴とするセキュリティフォーム。
【請求項３】
請求項１又は請求項２に記載のセキュリティフォームにおいて、
前記挿入基材は、遮光性を有する遮光基材であること、
を特徴とするセキュリティフォーム。
【請求項４】
請求項１又は請求項２に記載のセキュリティフォームにおいて、
前記挿入基材は、前記所定の情報と組み合わせることによって前記完全な情報と異なる情報にする偽の情報が設けられ、少なくとも一部に光透過性を有する光透過基材であること、
を特徴とするセキュリティフォーム。
【請求項５】
請求項１から請求項４までのいずれか１項に記載のセキュリティフォームにおいて、
前記光透過基材、前記基材のうち、少なくとも２つの基材は、前記挿入基材を間にはさみ、周縁部の一部又は全部が綴じ合わされ、筒形状の封筒部を形成すること、
を特徴とするセキュリティフォーム。
【請求項６】
所定の情報の構成要素となる個々のキャラクタを分解したキャラクタ分解情報が設けられ、少なくとも一部に光透過性を有し、重ね合わせられた複数の光透過基材を備え、
前記キャラクタ分解情報は、透かして判読すると、各キャラクタ分解情報が組み合わさり完全なキャラクタとなること、
を特徴とするセキュリティフォーム。
【請求項７】
所定の情報の構成要素となる個々のキャラクタを分解した第１のキャラクタ分解情報が設けられた基材と、
第２のキャラクタ分解情報が設けられ、少なくとも一部に光透過性を有し、前記基材の第１のキャラクタ分解情報側に重ね合わせられた少なくとも１つの光透過基材とを備え、
前記第１及び第２のキャラクタ分解情報は、透かして判読すると、各キャラクタ分解情報が組み合わさり完全なキャラクタとなること、
を特徴とするセキュリティフォーム。
【請求項８】
請求項１から請求項７までのいずれか１項に記載のセキュリティフォームにおいて、
前記光透過基材、前記基材のうち、少なくとも２つの基材は、一体化されており、その一体化を分離する分離予定線を備えること、
を特徴とするセキュリティフォーム。
【発明の詳細な説明】
【技術分野】
【０００１】
本発明は、透明封筒等に好適に利用できるセキュリティフォームに関するものである。
【背景技術】
【０００２】
従来、この種の透明封筒は、販促情報を印刷したチラシや冊子等を内部に収納し、生活者に送付されていた。そのため、収納物は、外部から視認できるので、収納物を積極的にアピールしたい場合には有効であった。
【０００３】
また、不正な行為を抑止するために、開封判別機能を有する透明封筒（収納体）等も知られている（例えば、特許文献１）。
【０００４】
しかし、透明封筒は、あくまで透明であるので、収納物は、外部にさらされてしまい、セキュリティ面に関しては、無防備な面も少なからずあった。
【０００５】
また、外部から視認できる収納物が、生活者のニーズに一致していない場合には、封筒を開封すらしてもらえない状況も想定でき、開封前に捨てられてしまっては、力を注いで作成した収納物も台無しになってしまい、宣伝や広告等の情報を十分に伝達することができなくなってしまう可能性もあった。
【０００６】
【特許文献１】特開２００３−２５２３４３号公報
【発明の開示】
【発明が解決しようとする課題】
【０００７】
本発明の課題は、透明封筒等に使用した場合であっても、高いセキュリティ性が確保でき、かつ、開封率を向上させるセキュリティフォームを提供することである。
【課題を解決するための手段】
【０００８】
本発明は、以下のような解決手段により、前記課題を解決する。なお、理解を容易にするために、本発明の実施例に対応する符号を付して説明するが、これに限定されるものではない。
請求項１の発明は、所定の情報（ａ、ｂ、ｃ）が設けられ、少なくとも一部に光透過性を有し、重ね合わせられた複数の光透過基材（１１ａ、１１ｂ、１２）と、前記複数の光透過基材（１１ａ、１１ｂ、１２）の間に配置される挿入基材（１３）とを備え、前記所定の情報（ａ、ｂ、ｃ）は、前記挿入基材（１３）を取り除き、透かして判読すると、各所定の情報（ａ、ｂ、ｃ）が組み合わさり完全な情報となること、を特徴とするセキュリティフォームである。
【０００９】
請求項２の発明は、第１の所定の情報が設けられた基材と、第２の所定の情報が設けられ、少なくとも一部に光透過性を有し、前記基材の第１の所定の情報側に重ね合わせられた少なくとも１つの光透過基材と、前記基材と前記光透過基材との間に配置される挿入基材とを備え、前記第１及び第２の所定の情報は、前記挿入基材を取り除き、透かして判読すると、各所定の情報が組み合わさり完全な情報となること、を特徴とするセキュリティフォームである。
【００１０】
請求項３の発明は、請求項１又は請求項２に記載のセキュリティフォームにおいて、前記挿入基材（１３）は、遮光性を有する遮光基材であること、を特徴とするセキュリティフォームである。
【００１１】
請求項４の発明は、請求項１又は請求項２に記載のセキュリティフォームにおいて、前記挿入基材（１３）は、前記所定の情報（ａ、ｂ、ｃ）と組み合わせることによって前記完全な情報と異なる情報にする偽の情報が設けられ、少なくとも一部に光透過性を有する光透過基材であること、を特徴とするセキュリティフォームである。
【００１２】
請求項５の発明は、請求項１から請求項４までのいずれか１項に記載のセキュリティフォームにおいて、前記光透過基材、前記基材のうち、少なくとも２つの基材（１１ａ、１１ｂ）は、前記挿入基材（１３）を間にはさみ、周縁部の一部又は全部が綴じ合わされ、筒形状の封筒部（１１）を形成すること、を特徴とするセキュリティフォームである。
【００１３】
請求項６の発明は、所定の情報の構成要素となる個々のキャラクタを分解したキャラクタ分解情報（ａ、ｂ、ｃ）が設けられ、少なくとも一部に光透過性を有し、重ね合わせられた複数の光透過基材（１１ａ、１１ｂ、１２）を備え、前記キャラクタ分解情報（ａ、ｂ、ｃ）は、透かして判読すると、各キャラクタ分解情報（ａ、ｂ、ｃ）が組み合わさり完全なキャラクタとなること、を特徴とするセキュリティフォームである。
【００１４】
請求項７の発明は、所定の情報の構成要素となる個々のキャラクタを分解した第１のキャラクタ分解情報が設けられた基材と、第２のキャラクタ分解情報が設けられ、少なくとも一部に光透過性を有し、前記基材の第１のキャラクタ分解情報側に重ね合わせられた少なくとも１つの光透過基材とを備え、前記第１及び第２のキャラクタ分解情報は、透かして判読すると、各キャラクタ分解情報が組み合わさり完全なキャラクタとなること、を特徴とするセキュリティフォームである。
【００１５】
請求項８の発明は、請求項１から請求項７までのいずれか１項に記載のセキュリティフォームにおいて、前記光透過基材、前記基材のうち、少なくとも２つの基材（１１ａ、１１ｂ）は、一体化されており、その一体化を分離する分離予定線を備えること、を特徴とするセキュリティフォームである。
【発明の効果】
【００１６】
本発明によれば、以下のような効果がある。
（１）挿入基材を光透過基材の間から取り除き、透かして判読すると、各所定の情報が組み合わさり完全な情報となるので、挿入基材を取り除く前は、完全な情報が確認できず、透明封筒等に使用した場合であっても、セキュリティ性を確保することができる。
【００１７】
（２）挿入基材を間にはさみ、周縁部の一部又は全部を綴じ合わせて筒形状の封筒部を形成したので、完全な情報を確認するには、挿入基材を取り除かなくてはならず、封筒部の開封率が向上する。
【００１８】
（３）挿入基材を光透過基材の間から取り除き、透かして判読すると、各キャラクタ分解情報が組み合わさり完全なキャラクタとなるので、より細かな各情報の分解によって、改ざんも困難であり、セキュリティ性が向上する。
【００１９】
（４）光透過基材、前記基材のうち、少なくとも２つの基材を一体化し、その一体化を分離する分離予定線を備えるので、利便性が向上する。
【発明を実施するための最良の形態】
【００２０】
本発明は、透明封筒等に使用した場合であっても、高いセキュリティ性が確保でき、かつ、開封率を向上させるセキュリティフォームを提供するという目的を、キャラクタ分解情報が設けられた透明な封筒に、キャラクタ分解情報が設けられた透明な中身と、遮光性を有する中身とを収納することにより実現する。
【実施例】
【００２１】
以下、図面等を参照して、本発明の実施例について、さらに詳しく説明する。
図１は、本発明によるセキュリティフォームの実施例を示す図であり、図２は、セキュリティフォームの使用方法を示す図である。
本実施例のセキュリティフォーム１０は、いわゆる透明封筒であり、封筒部１１と、収納物としての中身１２、１３等とを備える。
【００２２】
封筒部１１は、透明又は半透明の光透過性を有する２つの光透過基材１１ａ、１１ｂが、一体となって並設されており、例えば、グラシン紙、透明ＰＥＴ（ポリエチレンテレフタレート）である。
光透過基材１１ａには、所定の情報ａ、遮蔽領域にもなる宛先等の印刷部分１１ａ−１が設けられ、光透過基材１１ｂには、所定の情報ｂが設けられている。
また、光透過基材１１ａの上辺、光透過基材１１ｂの右辺及び下辺には、糊しろが設けられている。
【００２３】
中身１２は、封筒部１１と同様の光透過基材であり、顔の絵柄１２ａ、『当選番号が当たっているかも！！！  以下のＵＲＬにて確認をして下さい。  ｈｔｔｐ：／／ｄｄｄ．ｎｎｎ．ｐｐｐ／』等のコメント１２ｂ、所定の情報ｃが設けられている。
【００２４】
中身１３は、遮光性を有する遮光基材であり、例えば、一般の紙等である。この中身１３に、宣伝や広告等の情報を印刷してもよい。
【００２５】
所定の情報ａ、ｂ、ｃは、完全な情報（本実施例では、当選番号としての『０３７８』）の構成要素となる個々のキャラクタ（０、３、７、８）を分解したキャラクタ分解情報でもある。ここで、個々のキャラクタとは、文字、図形、記号等である。
また、所定の情報ａ、ｂ、ｃは、重ね合わせ、透かして判読すると、各キャラクタ分解情報が組み合わさって完全なキャラクタとなるとともに、各所定の情報ａ、ｂ、ｃが組み合わさり完全な情報となる。
【００２６】
次に、本実施例のセキュリティフォーム１０の使用方法について説明する。
まず、封筒部１１を中央の折り目で折り畳み、光透過基材１１ａと光透過基材１１ｂとを重ね合わせ、糊しろを用いて上端部以外の周縁部を綴じ合わせ、筒形状の封筒部１１を完成させる（図２（Ａ））。
【００２７】
ついで、封筒部１１に、中身１２、１３を収納する。
中身１３の上に、中身１２を重ね合わせて収納した場合には、表面は、図２（Ｂ）に示すように、絵柄１２ａ、コメント１２ｂ、所定の情報ａ、ｃが表出しており、裏面は、図２（Ｃ）に示すように、所定の情報ｂが表出している。
【００２８】
一方、中身１２の上に、中身１３を重ね合わせて収納した場合には、表面は、図２（Ｄ）に示すように、所定の情報ａが表出しており、裏面は、図２（Ｅ）に示すように、絵柄１２ａ、コメント１２ｂ、所定の情報ｂ、ｃが、裏返しになって表出している。
どちらの場合も、封筒部１１内に中身１３が配置されているので、封筒部１１の表面、裏面からは、当選番号を確認することができない。
【００２９】
そして、封筒部１１の上端部を綴じ合わせ、セキュリティフォーム１０が完成したら、セキュリティフォーム１０は、郵送や宅配便等の送付手段によって、生活者に届けられる。
生活者は、セキュリティフォーム１０を開封し、中身１３のみを取り除くと、当選番号としての『０３７８』を確認することができる（図２（Ｆ））。
【００３０】
このように、本実施例によれば、中身１３を封筒部１１から取り除き、透かして判読すると、所定の情報ａ、ｂ、ｃが組み合わさり、当選番号となるので、その正確さが保証され、悪意者による情報の改ざんも困難である。
【００３１】
また、中身１３を取り除かないと、当選番号が確認できないので、封筒部１１の開封率が向上する。
【００３２】
（変形例）
以上説明した実施例に限定されることなく、種々の変形や変更が可能であって、それらも本発明の均等の範囲内である。
（１）透明封筒の例で説明したが、通常の窓付き封筒でもよい。例えば、窓付き封筒の窓部に第１の所定の情報を設け、封筒内部の窓部と対向する位置に第２の所定の情報を設け、本実施例と同様に、遮光性を有する中身を取り除くようにしてもよい。
また、その他の郵便物（２つ折り葉書、ダイレクトメール）、グリーティングカード、くじ、光透過性を有する多層構成の製品に用いてもよい。
【００３３】
（２）遮光基材としての中身１３があれば、個々のキャラクタを分解しなくてもよい。本実施例のように、光透過基材が３層構造であれば、『０３』と『７』と『８』、『￥１０』と『００』と『割引』、『新宿店』と『セール』と『開催中』等としてもよい。このようにすれば、各情報や絵柄等を任意に変更することができる。
【００３４】
（３）光透過基材１１ａと光透過基材１１ｂとを分離するミシン目（分離予定線）を設けてもよい。所定の情報が個人情報である場合には、中身を確認してから捨てることが想定されるが、ミシン目によって、各所定の情報が分離し、細かく切りきざむ作業が不要となる。
また、アンケート等に答えて、片方の基材を返信する場合には、所定の情報は、１つでは意味をなさないので、隠蔽シール等を貼り込む必要がなく、そのままの状態で返信でき、利便性が向上する。
【００３５】
（４）封筒部１１の中身を、例えば、遮光基材／光透過基材／遮光基材の３層にして、光透過基材を遮光基材ではさみ込むようにしてもよい。このようにすれば、はさみ込まれた光透過基材の所定の情報は、送付中は外部に表出しないので、秘匿性の高い情報を扱う場合に好適である。
【００３６】
（５）光透過基材は、３層構造の例で説明したが、２層でもよく、また、４層以上でもよい。
【００３７】
（６）遮光基材は、紙の例で説明したが、例えば、ＣＤ等でもよい。この場合は、ＣＤのシリアル番号等を各所定の情報として分けることができる。
【００３８】
（７）個々のキャラクタを分解していれば、遮光基材としての中身１３を省いてもよい。このようにすれば、例えば、所定の情報としてバーコード等の識別記号を使用した場合に、開封前は、外部から識別記号を読み取ることができ、開封後は、各所定の情報を別々にすることによって、識別記号の不正な２次使用等を防止することができる。
【００３９】
（８）中身１３は、遮光性を有する遮光基材の例で説明したが、所定の情報ａ、ｂ、ｃと組み合わせることによって完全な情報と異なる情報にする偽の情報が設けられ、光透過性を有する光透過基材であってもよい。例えば、完全な情報が、『３７８』である場合に、所定の情報ａ、ｂ、ｃには、『３』、『７』、『８』を用い、偽の情報には、『１』を用いる。このようにすると、中身１３を取り除く前は、『３７８１』等が表出するが、完全な情報は、中身１３を取り除かないと確認できない。また、例えば、『０』（所定の情報）に『８』（偽の情報）を重ねて『８』としたり、『１』（所定の情報）に『−』（偽の情報）を重ねて『７』としたりしてもよい。
【図面の簡単な説明】
【００４０】
【図１】本発明によるセキュリティフォームの実施例を示す図である。
【図２】セキュリティフォームの使用方法を示す図である。
【符号の説明】
【００４１】
１０  セキュリティフォーム
１１  封筒部
１１ａ  光透過基材
１１ａ−１  印刷部分
１１ｂ  光透過基材
１２  中身
１２ａ  絵柄
１２ｂ  コメント
１３  中身
ａ、ｂ、ｃ  所定の情報
【図１】
2005313943.tif 000003
【図２】
2005313943.tif 000004